(57)【要約】【課題】      内部に入り込んだ異物によって機能しなくなることを防ぐことが可能で、かつ操作が容易な紐靴用コードロックを提供する【解決手段】  中空のホルダ本体５と、該ホルダ本体中に移動可能に設けられ、前記ホルダ本体に通された靴紐３を前記ホルダ本体内側に押し付けることにより、前記靴紐を保持する移動部材７とを、有する靴紐用コードロック１であって、前記ホルダ本体には、前記ホルダ本体内に入った異物を排出可能な排出部５ｉが設けられている。【選択図】    図２
2005118430.tif 000002
【特許請求の範囲】
【請求項１】
中空のホルダ本体と、
該ホルダ本体中に移動可能に設けられ、前記ホルダ本体に通された靴紐を前記ホルダ本体内側に押し付けることにより、前記靴紐を保持する移動部材とを、
有する靴紐用コードロックであって、
前記ホルダ本体には、前記ホルダ本体内に入った異物を排出可能な排出部が設けられていることを特徴とする靴紐用コードロック。
【請求項２】
前記移動部材の移動を操作する操作部を有し、前記排出部は前記操作部とは別に、前記ホルダ本体に穴状の開口部として設けられていることを特徴とする請求項１に記載の靴紐用コードロック。
【請求項３】
前記靴紐が通された靴の甲部分上で前記操作部を上にして使用され、前記排出部は前記甲部分と接する側に設けられていることを特徴とする請求項２に記載の靴紐用コードロック。
【発明の詳細な説明】
【技術分野】
【０００１】
本発明は、靴紐に用いられるコードロックに関する。
【背景技術】
【０００２】
足の甲の部分全体を締めることができる紐靴は、足の大きさの微妙な調整が可能であり、特に成長過程にある子供の足にとって最適である。紐靴は操作が面倒かつ複雑であるため敬遠されがちであるが、靴紐を容易に操作できるようにコードロックを利用した紐靴はすでに存在する（例えば、特許文献１参照）。
【特許文献１】特開平１１−３０９００１号公報
【発明の開示】
【発明が解決しようとする課題】
【０００３】
しかし、例えば、子供が従来の靴紐用コードロックが用いられた紐靴を使用した場合は、砂等の異物がコードロック内部に入り込み、機能しなくなってしまうという問題があった。
そこで、本発明は、内部に入り込んだ異物によって機能しなくなることを防ぐことが可能で、かつ操作が容易な紐靴用コードロックを提供することを目的とする。
【課題を解決するための手段】
【０００４】
本発明は、以下の方法により上述した課題を解決する。なお、本発明の理解を容易にするために添付図面の参照符号を括弧書きにて付記するが、それにより本発明が図示の形態に限定されるものではない。
【０００５】
本発明による靴紐用コードロック（１）は、中空のホルダ本体（５）と、該ホルダ本体中に移動可能に設けられ、前記ホルダ本体に通された靴紐（３）を前記ホルダ本体内側に押し付けることにより、前記靴紐を保持する移動部材（７）とを、有する靴紐用コードロックであって、前記ホルダ本体には、前記ホルダ本体内に入った異物を排出可能な排出部（５ｉ）が設けられることによって上述の課題を解決する。
【０００６】
移動部材はホルダ本体内を移動することによって、ホルダ本体内に通された靴紐の保持に関する動作を行なうが、ホルダ本体内に異物が入り込んでその移動が妨げられてしまうと、係る動作が行なえない。しかし、本発明によれば、ホルダ本体内に設けられた排出部によって、ホルダ本体内に入り込んだ異物を排出することができるので、移動部材の移動を常に確保することができる。従って、例えば、子供が砂場で遊んで砂がホルダ本体内に入り込んだ場合であっても、その砂は排出部より排出されるので砂によってホルダ本体内に設けられた移動部材の移動が妨げられることはない。
【０００７】
また、前記移動部材の移動を操作する操作部（６）を有し、前記排出部は前記操作部とは別に、前記ホルダ本体に穴状の開口部（５ｉ）として設けられることが好ましい。これにより、操作部の機能や形状と関係なく排出部をホルダ本体に設けることができる。また、排出部は単なる穴状の開口部として設けられるので、異物を排出するための複雑な装置や仕組みは不要である。
【０００８】
更に、前記コードロックは前記靴紐が通された靴の甲部分（２ａ）上で前記操作部を上にして使用され、前記排出部は前記甲部分と接する側に設けられてもよい。この場合は、排出部はコードロックの下側に設けられるので、ホルダ本体内に入り込んだ異物は、使用中の振動によって排出部から自然に排出されやすくなる。また、操作部はコードロックの上側に設けられるので操作しやすく、排出部は下側に設けられるので正面側からは視認できないため、コードロックのデザイン性が排出部を設けることによって制限されることはない。
【発明の効果】
【０００９】
以上説明したように、本発明によれば、コードロックのホルダ本体に排出部を設けることにより、コードロックの内部に入り込んだ異物によって機能しなくなることを防ぐことが可能であり、かつ操作が容易な靴紐用コードロックを提供することができる。
【発明を実施するための最良の形態】
【００１０】
図１は、本発明による靴紐用コードロック１（以下「コードロック１」という。）の一例が用いられた子供用靴２の例を示す。各子供用靴２は靴紐３、靴紐通し３ａ…３ａ及びコードロック１とを有し、靴紐３の両端には靴紐３がコードロック１から抜けないようにコードエンド４が設けられている。各子供用靴２において、靴紐通し３ａ…３ａに通された靴紐３は、図１に示すように左右から集められて、甲部分２ａ上にてコードロック１によって保持される。コードロック１の構造については図２〜図４を用いて説明する。コードロック１は、図２に示すようにホルダ本体５と、スライダー６と、移動体７とで構成される。スライダー６は操作面６ａと凸状の連結部６ｂとを有する。移動体７は可動部７ａと、バネ部７ｂと、本体連結部７ｃとを有する。可動部７ａには、その左右対称に歯部７ｄと（左側に設けられた歯部７ｄは不図示）、その中心部に穴状に設けられたスライダー連結部７ｅとが設けられている。本体連結部７ｃの正面側には突起部７ｆが２箇所設けられている。なお、本体連結部７ｃの背面側にも突起部７ｆと同様の突起部（不図示）が設けられている。ホルダ本体５、スライダー６、及び移動体７はプラスチックで構成されている。
【００１１】
ホルダ本体５は、左右対称の縦長の形状であり、前面５ａと、背面５ｂと、側面５ｃとを有する中空構造となっている。側面５ｃには靴紐３の挿入側に靴紐挿入口５ｄとしての開口部が左右対称に各１つずつ設けられ（左側の靴紐挿入口５ｄは不図示）、靴紐３の引出し側では側面５ｃは取り除かれて開口部が形成されてる。係る開口部は、移動体７を連結するための移動体連結部５ｅとして機能する。また、ホルダ本体５の幅は靴紐挿入口５ｄが設けられた方向から移動体連結部５ｅが設けられた方向へ向かって徐々に広くなっている。
【００１２】
図３（ａ）は、前面５ａを上にしたホルダ本体５の斜視図であり、（ｂ）は背面５ｂを上にしたホルダ本体５の斜視図であり、（ｃ）はホルダ本体５を前面５ａに平行な平面で切断した断面図である。ホルダ本体５の前面５ａの中心部には、図３（ａ）に示すように、スライダー６を移動可能に設置するためのスライダー設置部５ｆが設けられ、スライダー設置部５ｆの中心部には縦方向に長い開口部５ｇが設けられている。また、前面５ａの移動体連結部５ｅ付近には穴部５ｈが２箇所設けられている。ホルダ本体５の背面５ｂには、図３（ｂ）に示すように、排出部としての砂抜き開口部５ｉと、移動体連結部５ｅ付近に穴部５ｈが２箇所設けられている。砂抜き開口部５ｉは、縦方向に関して略Ｔ字形状に設けられている。ホルダ本体５の側面５ｃは、上述したように、２つの靴紐挿入口５ｄ、５ｄと移動体連結部５ｅの部分が開口部となっているため、図３（ｃ）に示すように上側面５ｃ−１、左側面５ｃ−２及び右側面５ｃ−３とで構成される。左側面５ｃ−２と右側面５ｃ−３は左右対称に設けられて、その厚さは各靴紐挿入口５ｄ付近では厚く、下に向かって徐々に薄くなるように構成されている。また、各靴紐挿入口５ｄ付近の左側面５ｃ−２及び右側面５ｃ−３の内側には歯部５ｊが左右対称に内側に向かって設けられている。
【００１３】
移動体７は、本体連結部７ｃに設けられた突起部７ｆ…７ｆがホルダ本体５の移動体連結部５ｅ付近に設けられた穴部５ｈ…５ｈにそれぞれ嵌め込まれることによって、ホルダ本体５に連結され、ホルダ本体５内に収容される。ホルダ本体５の移動体連結部５ｅは本体連結部７ｃによって開口部分の中心部分を塞がれるが、本体連結部７ｃの方が移動体連結部５ｅよりも短いため、移動体連結部５ｅの左右の両端には隙間ができる。この隙間は靴紐３を引出す引出し口として機能する。また、スライダー６の凸状の連結部６ｂがホルダ本体５の開口部５ｇを介して移動体７のスライダー連結部７ｅに嵌め込まれることにより、スライダー６と移動体７は連結される。スライダー６は開口部５ｇが開口している方向、すなわち縦方向に移動可能であり、移動体７の可動部７ａはこのスライダー６の動きに連動して移動する。従って、スライダー６は移動体７を操作する操作部として機能する。
【００１４】
上述したホルダ本体５、スライダー６、移動体７及び靴紐３によって構成されるコードロック１の概略図を図４に示す。靴紐３は靴紐挿入口５ｄからコードロック１に挿入され、本体連結部７ｃと側面５ｃとで構成される隙間である靴紐引出口５ｋから引き出される。従って、各靴紐３のＹ方向にコードエンド４が取り付けられている。スライダー６はホルダ本体５上を縦方向（図中、Ｘ方向）にスライド可能である。以下、スライダー６をＸ方向へスライドさせることを、下方向へスライドさせるという。また、図４では図示されていないが、上述した砂抜き開口部５ｉは背面５ｂに設けられているため、コードロック１の内部に入り込んだ砂は子供用靴２の使用中に自然に排出されやすく、また、自然に排出されない砂であってもコードロック１を振ることによって容易に排出することができる。
【００１５】
以下、上述した構成のコードロック１による靴紐３の調節動作について図５（ａ）及び（ｂ）を用いて説明する。図５（ａ）及び（ｂ）はコードロック１を前面５ａに水平な面で切断した断面の概略図である。なお、コードロック１は左右対称構造であり、左側においても右側と同様の仕組みによって靴紐３の保持の調整が行なわれるため、図５（ａ）及び（ｂ）には説明の便宜上、コードロック１の右側のみ図示する。また、ホルダ本体５の背面５ｄに設けられた開口部５ｉの図示は略す。
【００１６】
まず、コードロック１によって靴紐３を保持する仕組みについて説明する。図５（ａ）に示すように、移動体７のバネ部７ｂの元に戻ろうとする力によって、可動部７ａがＵ方向に押し上げられるため、歯部７ｄが靴紐３を側面５ｃの内側に設けられた歯部５ｊに押し付ける。これにより、靴紐３は歯部７ｄと歯部５ｊに挟まれた状態となり、靴紐３の位置が保持される。本実施形態における歯部７ｄと歯部５ｊの歯は、鋭利な先端部分がＢ方向へ向けて設けられている。従って、靴紐３は移動体７のバネ部７ｂの押圧力よりも大きな力がＢ方向に加わった場合はＢ方向へ移動するが、Ａ方向にその力が加わった場合は、歯部７ｄ及び歯部５ｊの各歯の先端が靴紐３に食い込み靴紐３のＡ方向への移動を阻止する。すなわち、靴紐３のＡ方向への移動は容易ではない。靴紐３がＡ方向に移動すると靴紐３はロックされた状態となり、靴紐３がＢ方向に移動すると靴紐３はロック解除された状態になる。従って、歯部７ｄ及び歯部５ｊが上述した構成を有することにより、使用中にある程度の力が靴紐３に加わっても靴紐３は緩みにくい構成となっている。
【００１７】
次に、靴紐３を緩める方法について説明する。まず、コードロック１の操作面６ａに指をあててスライダー６を下方向にスライドさせ、その状態を維持する。この時のコードロック１の内部では、図５（ｂ）が示すように、スライダー６の移動に伴って可動部７ａがホルダ本体５内でＤ方向へ移動する。これによって、移動体７の歯部７ｄとホルダ本体５の歯部５ｊとの間隔が広くなり、靴紐３は挟まれた状態から開放されてＡ方向にもＢ方向にも移動が容易になる。従って、図６に示すように、スライダー６をホルダ本体５の下方向にスライドさせた状態で、コードロック１をコードエンド４に当たるまでＺ方向へ移動させるだけで、靴紐３はＡ方向へ移動するので靴紐３を容易に緩めることができる。
【００１８】
次に、緩めた靴紐３を締める方法について説明する。上述した方法により靴紐３がコードロック１がコードエンド４に当たった状態で、スライダー６の操作面６ａから指を離すと、移動体７のバネ部７ｂの元にもどろうとする力によって、図５（ａ）の状態に戻る。すなわち、靴紐３は移動体７の歯部７ｄとホルダ本体５の歯部５ｊとに挟まれ、再び保持された状態となる。上述したように本実施形態においては、歯部７ｄと歯部５ｊは靴紐３がＡ方向に移動しにくいような構造となっているが、Ｂ方向へは靴紐３に対してＢ方向に力を加えれば移動可能である。従って、コードエンド４の両端を片手で持って、片一方の手でコードロック１を上側方向に移動させれば、靴紐３をＢ方向へ移動させることができ、これにより靴紐３を締めることができる。
【００１９】
本発明は上述した形態に限定されず、種々の形態にて実施してよい。例えば、本実施形態においては、コードロック１を縦長の形状としたが、横長でもよい。排出部としての砂抜き開口部５ｉの形状は略Ｔ字型としたが、この形状に限らない。また、排出部は１箇所に限らない。更に本発明によるコードロック１は、異物がコードロック１に入り込みやすい環境で使用される靴でその効果を特に発揮するが、コードロック１が設けられる靴の種類は問わない。
【００２０】
ホルダ本体５、スライダー６及び移動体７はすべてプラスチック製としたが、用途に応じて適宜異なる素材にて製造されてもよい。なお、靴紐３の素材は、上述したように歯部７ｄと歯部５ｊとに挟まれた後や歯部７ｄまたは歯部５ｊに食い込まれた後も元の状態に戻るような素材であることが望ましい。歯部７ｄ及び歯部５ｊは本実施形態では各々３枚歯で構成されるが、歯の数はこれに限らない。また、本実施形態においては、歯部７ｄ及び歯部５ｊの形状が、靴紐３を緩める方向へはある程度以上の力を加えれば靴紐３が移動可能な形状にされているが、靴紐３を緩める方向へも移動しにくい形状とし、常にスライダー６の操作によって靴紐３を移動させてもよい。
【図面の簡単な説明】
【００２１】
【図１】本発明の一例である靴紐用コードロックが使用された子供靴の例を示す図。
【図２】図１の靴紐用コードロックの構成を示す図。
【図３】（ａ）は図１の靴紐用コードロックにおけるホルダ本体の前面を示す斜視図であり、（ｂ）はホルダ本体の背面を示す斜視図であり、（ｃ）はホルダ本体を前面に平行な面で切断した断面図。
【図４】図２の構成を有する靴紐用コードロックの外観の概略図。
【図５】（ａ）はスライダーが通常の位置にある状態における図１の靴紐用コードロックの断面を示す概略図であり、（ｂ）はスライダーをスライドさせた状態における図１の靴紐用コードロックの断面を示す概略図。
【図６】スライダーを指でスライドさせるようすを示す図。
【符号の説明】
【００２２】
１      靴紐用コードロック
２      子供用靴
３      靴紐
５      ホルダ本体
６      スライダー
７      移動体
５ｉ    砂抜き開口部
【図１】
2005118430.tif 000003
【図２】
2005118430.tif 000004
【図３】
2005118430.tif 000005
【図４】
2005118430.tif 000006
【図５】
2005118430.tif 000007
【図６】
2005118430.tif 000008